(57)【要約】【課題】大きさの相違する収容物を安定的に収容することができる収容ホルダを提供する。【解決手段】収容ホルダは、固定底面と該固定底面から上方に延びる側面とを有する凹状の収容部と、一端が該側面の上下方向の中間位置に枢設されて該固定底面に略平行となる位置から該側面側へ枢動可能な可動底面部と、一端が該可動底面部の下面側に枢設されていると共に他端が該側面側に略上下方向へ摺動可能に保持されている可動支持部と、を備える。【選択図】図１
2016159663.tif 000002
【特許請求の範囲】
【請求項１】
固定底面と該固定底面から上方に延びる側面とを有する凹状の収容部と、
一端が該側面の上下方向の中間位置に枢設されて該固定底面に略平行となる位置から該側面側へ枢動可能な可動底面部と、
一端が該可動底面部の下面側に枢設されていると共に他端が該側面側に略上下方向へ摺動可能に保持されている可動支持部と、
を備える収容ホルダ。
【請求項２】
さらに、前記可動底面部が前記固定底面に略平行となる位置においては前記可動底面部を前記固定底面側に付勢し、前記可動底面部が前記側面側に移動すると前記可動底面部を前記側面側へ付勢する付勢部材を備える請求項１に記載の収容ホルダ。
【請求項３】
さらに、前記側面の内周側から外周側へ突出すると共に、前記可動底面部が該側面側へ移動した際に収容される突出収容部を備える請求項１または２に記載の収容ホルダ。
【発明の詳細な説明】
【技術分野】
【０００１】
本発明は、車両の車室内で飲料容器等を保持する収容ホルダに関する。
【背景技術】
【０００２】
飲料容器や菓子等の食品容器、携帯電話等の小物類等の収容物を収容する車両用の収容ホルダにおいて、様々な形状および大きさの収容物を収容するために、収容物を載置する底面の高さを変える技術が提案されている。例えば、特許文献１のカップホルダでは、小型飲料容器を収容するに際しては、中間蓋が収容部の中央程度の高さ位置でフック状の受け部材に支持され、中間蓋上に小型飲料容器が載置される。大型飲料容器を収容するに際しては、容器保持部材が大型飲料容器によって壁面側に押し込まれて受け部材に当接し、受け部材を押し込んで中間蓋が揺動可能に支持されている壁面側に倒れ、収容部の底面によって大型飲料容器が支持される。
【先行技術文献】
【特許文献】
【０００３】
【特許文献１】特許第５２３４３３７号公報
【発明の概要】
【発明が解決しようとする課題】
【０００４】
特許文献１の技術では、小型飲料容器を載置する中間蓋は、容器保持部材が壁面側に押し込まれることで受け部材が外れた際には下方に落ちる。小型飲料容器を中間蓋上に載置している際に、誤って容器保持部材を押してしまった場合には、受け部材が外れて中間蓋が落ち、小型飲料容器が収容部の底面まで落下する可能性がある。
【０００５】
本発明は、上記の実情に鑑みてなされたものであって、大きさの相違する飲料容器、食品容器、小物類等の収容物を安定的に収容することができる新たな構造の収容ホルダを提供することを目的とする。
【課題を解決するための手段】
【０００６】
本明細書が開示する収容ホルダは、固定底面と該固定底面から上方に延びる側面とを有する凹状の収容部と、一端が該側面の上下方向の中間位置に枢設されて該固定底面に略平行となる位置から該側面側へ枢動可能な可動底面部と、一端が該可動底面部の下面側に枢設されていると共に他端が該側面側に略上下方向へ摺動可能に保持されている可動支持部と、を備える。
【０００７】
上記の収容ホルダでは、可動支持部の他端がその摺動方向において下端に位置するとき、可動底面部は固定底面に略平行となり、可動支持部によって下面側から支持される。これによって、可動底面部上に小型の収容物を載置することができる。また、可動支持部の他端が下端となる位置から上方に摺動すると、可動底面部は、固定底面に略平行な位置から側面側に枢動する。これによって収容部を深く使用でき、固定底面上に大型の収容物を載置することができる。上記の収容ホルダによれば、小型飲料容器等の小型の収容物は高い位置にある可動底面部上に載置して取り出し易くすることができ、小型の収容物が載置された可動底面部が下方に落ち込むことがない。また、大型飲料容器等の大型の収容物は低い位置にある固定底面上に載置してその上部が運転等の妨げにならないようにすることができる。
【０００８】
上記の収容ホルダは、さらに、前記可動底面部が前記固定底面に略平行となる位置においては前記可動底面部を前記固定底面側に付勢し、前記可動底面部が前記側面側に移動すると前記可動底面部を前記側面側へ付勢する付勢部材を備えていてもよい。固定底面上に飲料容器を置く際に可動底面部が下降することを付勢部材によって抑制できる。
【０００９】
上記の収容ホルダは、さらに、前記側面の内周側から外周側へ突出すると共に前記可動底面部が該側面側へ移動した際に収容される突出収容部を備えていてもよい。固定底面上に収容物を置く際に、可動底面部が突出収容部に収容されて、収容部を広く使用することができる。
【図面の簡単な説明】
【００１０】
【図１】実施例に係る収容ホルダの断面図であり、可動底面部が固定底面に略平行な状態となるときを示している。
【図２】その可動底面部が側面に略平行な状態となるときの収容ホルダを示す断面図である。
【図３】その可動底面部が収容される側面の突出収容部を示す断面斜視図である。
【図４】可動底面部を示す斜視図である。
【図５】可動支持部を示す斜視図である。
【発明を実施するための形態】
【００１１】
本明細書は、自動車等の車両の車室内で飲料容器、食品容器、小物類等の収容物を保持する車両用の収容ホルダを開示する。本明細書が開示する収容ホルダは、自動車に固定的に装着されるものであってもよいし、着脱可能に装着されるものであってもよい。自動車の室内を例示して説明すると、コンソールボックス、センターコンソール、座席の背面、ドア、エアコンの吹き出し口付近等、様々な場所に設置することができる。
【実施例】
【００１２】
図１、２に示すように、本実施例に係る収容ホルダ１００は、上カバー１０１と、上端が開放された凹形状の収容部１１０と、可動底面部１３０と、可動支持部１５０とを備えている。本明細書では、特に言及しない限り、図１等に示すｚ軸の正方向を上方、ｚ軸の負方向を下方として説明する。可動底面部１３０については、図１の状態と図２の状態で位置関係が相違するが、便宜上、図１における上方の面を上面、下方の面を下面と称して説明することがある。
【００１３】
収容部１１０は、固定底面１１１と、固定底面１１１の周縁から上方に延びる側面１２０とを含む。固定底面１１１は、ｘｙ平面で平面視したときに略円形である。側面１２０は、固定底面１１１の形状に沿って略円筒状に徐々に広がりながら上方に延びている。
【００１４】
図３に示すように、側面１２０は、略円筒状上方に延びる曲面部１２２と、曲面部１２２に対してｙ方向に矩形状に窪んだ突出収容部１２３とを備える。突出収容部１２３の上端は収容部１１０の上端に達しており、下端は固定底面１１１よりも上方に位置している。突出収容部１２３は、ｘ方向に互いに対向する一対の面１２３ａ、１２３ｂと、面１２３ａ、１２３ｂの下方でｘ方向に互いに対向する一対の面１２４ａ、１２４ｂと、面１２３ａと面１２３ｂの間および面１２４ａと面１２４ｂの間に延在するｙ方向に垂直な面１２３ｃと、面１２４ａと面１２４ｂの下端においてその間に延在するｚ方向に垂直な面１２３ｄと、面１２３ａの下端と面１２４ａ上端の間に延在するｚ方向に垂直な面１２３ｅと、面１２３ｂの下端と面１２４ｂの上端の間に延在するｚ方向に垂直な面１２３ｆとを備えている。面１２４ａと面１２４ｂとの距離は面１２３ａと面１２３ｂとの距離より狭い。面１２３ａ、１２３ｂにはそれぞれ孔部１２５ａ、１２５ｂが設けられている。面１２３ｃには、孔部１２５ａ、１２５ｂと同程度の高さに矩形状の孔部１２３ｇが設けられている。
【００１５】
面１２４ａ、１２４ｂには、ぞれぞれ、ｚ方向に伸びるスリット１２７ａ、１２７ｂが設けられている。スリット１２７ａ、１２７ｂの下端は面１２３ｄよりも上方に位置し、上端は面１２３ｅ、１２３ｆまで達して上端が開放されている。スリット１２７ａ、１２７ｂのｙ方向の幅は、面１２４ａ、１２４ｂの表面側において奥側と比較的して狭くなっている。
【００１６】
図４に示すように、可動底面部１３０のｘ方向に垂直な側面には、孔部１４０ａ、１４０ｂ、１４２ａ、１４２ｂが設けられている。可動底面部１３０の端部１３２は、可動底面部１３０の他の部分よりもｘ方向の幅が狭くなっており、端部１３２の側面に孔部１４０ａ、１４０ｂが設けられている。端部１３２は、突出収容部１２３の面１２３ａと面１２３ｂの間に挿入されて、孔部１２５ａと孔部１４０ａが重ねられ、孔部１２５ｂと孔部１４０ｂとが重ねられる。孔部１２５ａの外側から孔部１４０ａを貫通するまで段付きピン１７０ａが差し込まれ、孔部１２５ｂの外側から孔部１４０ｂを貫通するまで、段付きピン１７０ｂが差し込まれる。１対の段付きピン１７０ａ、１７０ｂによって、可動底面部１３０の端部１３２は、突出収容部１２３の面１２３ａ、１２３ｂに枢設される。可動底面部１３０の端部１３２の上面（図１ではｚ軸の正方向側の面）には突起１３６が設けられている。
【００１７】
図５に示すように、可動支持部１５０の端部１５２は、可動支持部１５０の他の部分よりもｘ方向の幅が狭くなっており、端部１５２の側面に孔部１４４ａ、１４４ｂが設けられている。端部１５２は、可動底面部１３０の下面（図１ではｚ軸の負方向側の面）の内側に挿入されて、孔部１４２ａと孔部１４４ａが重ねられ、孔部１４２ｂと孔部１４４ｂとが重ねられる。孔部１４２ａの外側から孔部１４４ａを貫通するまで段付きピン１７２ａが差し込まれ、孔部１４２ｂの外側から孔部１４４ｂを貫通するまで、段付きピン１７２ｂが差し込まれる。１対の段付きピン１７２ａ、１７２ｂによって、可動支持部１５０の端部１５２は可動底面部１３０に枢設される。可動支持部１５０の端部１５４には、１対の段付きピン１７４ａ、１７４ｂが装着されている。端部１５４は、突出収容部１２３の面１２４ａと面１２４ｂの間に挿入されており、１対の段付きピン１７４ａ、１７４ｂの頭部は、面１２３ｅ、１２３ｆ側からスリット１２７ａ、１２７ｂに摺動可能に差し込まれている。これによって、１対の段付きピン１７４ａ、１７４ｂに固定された端部１５４は、スリット１２７ａ、１２７ｂに沿って略上下方向に摺動することができる。
【００１８】
図１、２に示すように、付勢ばね１６０は、孔部１２３ｇよりも下方で突出収容部１２３の外側の面に設けられた凸部１６２に嵌め込むとともにピン１６４を挿入することによって固定されている。付勢ばね１６０は、その固定された位置から上方に延びるとともに屈曲して孔部１２３ｇを通過し、突出収容部１２３の外側から内側に延びて突起１３６の表面に略上方から接している。付勢ばね１６０は、ターンオーバースプリングであり、図１に示すように、付勢ばね１６０がその固定端１６０ｂ側（固定されている側）よりも先端１６０ａ側（固定されていない側）に近い位置で突起１３６に接する場合には、可動底面部１３０が開く方向の力（図１に矢印で示す固定底面１１１に近づく方向の力）を作用させる。また、図２に示すように、付勢ばね１６０がその先端１６０ａ側よりも固定端１６０ｂ側に近い位置で突起１３６に接する場合には、可動底面部１３０が閉じる方向の力（図２に矢印で示す面１２３ｃに近づく方向の力）を作用させる。
【００１９】
図１に示すように、１対の段付きピン１７４ａ、１７４ｂがスリット１２７ａ、１２７ｂの下端に当接するとき、端部１５４は最も下方に位置し、可動底面部１３０は固定底面１１１と略平行な状態で可動支持部１５０によって下方から支持される。付勢ばね１６０は、その先端１６０ａ側で突起１３６に接しており、可動底面部１３０が開く方向の力を作用させ、可動底面部１３０を固定底面１１１側に付勢する。この状態で収容部１１０に飲料容器等の収容物を収容すれば、固定底面１１１よりも上方に位置する可動底面部１３０上に収容物を載置することができ、小型飲料容器等の低い収容物を取り出し易い高さに保持することができる。なお、図１では、小型飲料容器１を可動底面部１３０に載置した状態を図示している。
【００２０】
図１の状態の可動底面部１３０は、端部１３２を軸として面１２３ｃに向かって枢動させることができる。可動底面部１３０を面１２３ｃ側に向かって押し上げると、端部１５４がスリット１２７ａ、１２７ｂの上方に摺動する。可動底面部１３０が枢動すると、突起１３６は、付勢ばね１６０に接した状態で付勢ばね１６０の先端１６０ａ側から固定端１６０ｂ側に滑動する。図２に示すように、突起１３６と付勢ばね１６０との接点が、付勢ばね１６０の先端１６０ａよりも固定端１６０ｂに近い位置まで変位すると、付勢ばね１６０は、可動底面部１３０が閉じる方向の力を作用させ、可動底面部１３０を面１２３ｃ側に付勢する。このとき、端部１５４はスリット１２７ａ、１２７ｂの上端の近傍まで到達している。また、可動底面部１３０は、面１２３ｃに略平行な状態で接しており、付勢ばね１６０によって面１２３ｃに押しつけられた状態で面１２３ａと面１２３ｂの間に収容される。可動支持部１５０は、可動底面部１３０の下面（図２においては面１２３ｃ側と逆側の面）側および面１２４ａと面１２４ｂの間に収容される。可動底面部１３０と可動支持部１５０が突出収容部１２３内に収容されて、収容部１１０は緩やかな略円錐筒状になる。この状態で収容部１１０に飲料容器を収容すれば、固定底面１１１上に収容物を載置することができ、収容部１１０を広く使用することができる。また、可動底面部１３０が開くことを付勢ばね１６０および突起１３６によって抑制できる。
【００２１】
上記のとおり、本実施例に係る収容ホルダ１００によれば、可動底面部１３０上に飲料容器、食品容器、小物類等の収容物を載置するに際しては、可動支持部１５０によって可動底面部１３０が下面側から支持される。このため、収容物が載置された可動底面部１３０がさらに下方に落ち込むことがない。また、固定底面１１１上に収容物を載置するに際しては、可動底面部１３０を面１２３ｃ側に移動させて突出収容部１２３に収容するとともに、付勢部材（本実施例では付勢ばね１６０および突起１３６）によって可動底面部１３０を面１２３ｃ側に付勢する。これによって可動底面部１３０が下降することを防ぎつつ収容部１１０を深くかつ広く使用できる。小型飲料容器等の低い収容物は高い位置にある可動底面部１３０上に載置して取り出し易くすることができ、大型飲料容器等の高い収容物は低い位置にある固定底面１１１上に載置してその上部が運転等の妨げにならないようにすることができる。本実施例に係る収容ホルダ１００は、収容する飲料容器の高さに応じて、収容物を載置する底面の高さを変えることのできるカップホルダとして好適に利用することができる。
【符号の説明】
【００２２】
１００  ：収容ホルダ
１１０  ：収容部
１１１  ：固定底面
１２０  ：側面
１２３  ：突出収容部
１２７ａ、１２７ｂ  ：スリット
１３０  ：可動底面部
１３６  ：突起
１５０  ：可動支持部
１６０  ：付勢ばね
【図１】
2016159663.tif 000003
【図２】
2016159663.tif 000004
【図３】
2016159663.tif 000005
【図４】
2016159663.tif 000006
【図５】
2016159663.tif 000007